(57)【特許請求の範囲】
【請求項１】
記録情報を有する光を記録媒体に照射し、当該記録媒体内部に電荷を発生して、当該電荷を空間的に分布させることにより前記媒体に書き込まれた記録を、前記媒体内部に分布した前記電荷を中和することによって消去する方法であって、
前記電荷の中和は、時間微分の符号が変化する電圧を印加することにより行ない、前記電圧の周期は、前記媒体を構成する材料の誘電緩和時間より長く、前記電圧の絶対値を印加時間の経過に伴ない０に近づけることを特徴とする記録消去方法。
【請求項２】
前記電圧を印加するとともに、非干渉性の光を前記媒体に照射して、前記記録を消去することを特徴とする請求項１に記載の記録消去方法。
【請求項３】
可干渉性の光源と、
前記可干渉性の光源から照射される光を２つに分割する手段と、
前記分割された光の一方に記録情報を付加する装置と、
記録媒体にホログラフィック記録を書き込むために、前記２つの光を前記媒体上で交差させる光学的装置と、
書き込まれたホログラフィック記録を再生するための光を検出する検出器と、前記書き込まれたホログラフィック記録を消去するための電圧を前記媒体に印加する消去用電圧印加手段とを具備し、
前記消去用電圧印加手段から印加される前記電圧は、時間微分の符号が変化し、その周期が前記媒体を構成する材料の誘電緩和時間より長く、かつその絶対値が印加時間の経過に伴ない０に近づくことを特徴とするホログラフィックメモリー装置。
【請求項４】
可干渉性の光源と、
前記可干渉性の光源からの光を、ホログラフィック記録が書き込まれた記録媒体上の所定の位置に照射するための装置と、
前記照射された光を検出し、前記書き込まれたホログラフィック記録を再生する検出器と、
前記書き込まれたホログラフィック記録を消去するための電圧を前記媒体に印加する消去用電圧印加手段とを具備し、
前記消去用電圧印加手段から印加される前記電圧は、時間微分の符号が変化し、その周期が前記媒体を構成する材料の誘電緩和時間より長く、かつその絶対値が印加時間の経過に伴ない０に近づくことを特徴とするホログラフィックメモリー装置。
【請求項５】
ホログラフィック記録が書き込まれた記録媒体に、前記ホログラフィック記録を消去するための電圧を印加する消去用電圧印加手段を具備し、
前記消去用電圧印加手段から印加される前記電圧は、時間微分の符号が変化し、その周期が前記媒体を構成する材料の誘電緩和時間より長く、かつその絶対値が印加時間の経過に伴ない０に近づくことを特徴とするホログラフィックメモリー装置。
【請求項６】
前記ホログラフィック記録を消去するための電圧を前記記録媒体に印加する電極を具備すること特徴とする請求項３ないし５のいずれか１項に記載のホログラフィックメモリー装置。
【請求項７】
非干渉性の光源と、
前記非干渉性の光源から照射される光を、前記ホログラフィック記録が書き込まれた前記媒体上の所定の位置に照射するための装置とをさらに具備する請求項３ないし６のいずれか１項に記載のホログラフィックメモリー装置。
【発明の詳細な説明】
【０００１】
【発明の属する技術分野】
本発明は、記録消去方法およびホログラフィックメモリーの装置に関する。
【０００２】
【従来の技術】
従来の光磁気記録や光熱相変化型の媒体（光ディスク等）に比べてはるかに高密度な記録媒体である光記録媒体の一つとして、フォトリフラクティブ媒体が知られている。このフォトリフラクティブ媒体は、高密度画像など容量の大きなデータを記録することが可能である。
【０００３】
フォトリフラクティブ媒体においては、電磁波の照射により電荷を空間的に分離せしめ、この電荷により発生する電場により屈折率を変化させる。媒体内部に発生する電場を大きくすることによって、ポッケルス効果により大きな屈折率変化を得ることが可能となる。この媒体は、電磁波の干渉パターンを、屈折率の変化による回折格子として直接記録できることからホログラフィックメモリー、光演算素子等への応用も期待されている。
【０００４】
こうしたフォトリフラクティブ媒体にデータ光と参照光とを、空間的・時間的に重なるように照射することによって、媒体の内部に干渉縞が生じる。データ光は、電磁波の空間的または時間的な強度や位相をデータに応じて変化させた電磁波であり、例えば、反射や透過や屈折や回折等のデータパターンを、空間変調器により付加した可干渉性の電磁波とすることができる。一方の参照光は、データ光と同じ波長を有する可干渉性の電磁波であるが、変調されていなくともよい。これらの光を照射して干渉縞が発生し、これを主として屈折率が変化した三次元の回折格子として記録する。
【０００５】
形成された回折格子に可干渉性の電磁波を照射することによって、記録の再生が行なわれる。ここで照射される電磁波は、必ずしも、記録時に照射した電磁波と同じである必要はない。そのような電磁波を照射した場合には、回折格子の各屈折率変調面（屈折率が高いところ）により反射した光と、回折格子を透過してきた光、もしくは吸収または散乱された電磁波とが強め合う方向にのみ回折される。この中には、データ光のパターンと同じ成分の電磁波、またはデータ光のパターンが裏返った状態の共役光のいずれかまたは双方が含まれる（再生）。このとき、再生に用いた電磁波の波長が記録に用いた電磁波の波長と異なる場合には、データパターンの大きさが異なる。したがって、回折格子を記録することによって、データをホログラムとして記録するホログラフィックメモリーとなり、共役光やホログラムの特徴である光相関等を利用すれば、光演算を行なうことが可能である。
【０００６】
フォトリフラクティブ効果は、次のようにして屈折率を変調させる効果である。すなわち、まず光照射により電子と正孔とを発生させ、それを拡散や外部電場でのドリフトなどにより空間的に分離する。この際に生じる電場によって、屈折率が変調する。このフォトリフラクティブ効果を示す材料としては、無機誘電体結晶系材料、無機半導体系材料および有機系材料が知られている。この中で、特に無機誘電体系材料と有機系材料からなるフォトリフラクティブ媒体では、電荷を空間的に分離することを補助するために、媒体に電極を設け、これに電位を印加すること(外部電場の印加)が行なわれている。しかしながら、外部電場を印加すると、生じた電荷が媒体の外部に流れて媒体が帯電してしまう。無機誘電体結晶や永久電気双極子をもつ非線形光学分子が混合されている有機系材料の場合には、帯電による電場で、内部の自発分極の電場がそろえられる（ポーリングされる）ために、帯電による（外部）電場と反対方向の電場が誘起される。この電場は、抗電場と呼ばれ、誘電体の分極の電場依存性がヒステリシスをもつ原因となる。
【０００７】
このような電場の状態を元に戻すことが、記録の消去である。したがって、消去を行なうには、外部からの電荷の注入を行なって、抗電場の中、反対符号を有する電荷の近くまたはその真上に電荷を輸送し、それらを再結合させることが必要となる。符号の異なる電荷間にはクーロン引力が働くが、抗電場により電荷は特定方向にドリフトしてしまうので、電荷の再結合は起こりにくい。このため、消去を行なうことは困難であった。
【０００８】
実際には、媒体の温度を高くし、分極を固定する力を弱めることによって抗電場を小さくしていた。こうして電荷対に互いのクーロン引力が直接感じられるようにして再結合させることで、記録が消去されていた。したがって、消去のために昇温装置が必要となる。さらには、材料の分極を固定する力を弱めるまで温度を上昇させるため、媒体の形状を保つことが困難になり、記録媒体として利用するには不都合を生じていた。
【０００９】
【発明が解決しようとする課題】
そこで本発明は、上記問題点を鑑みて、光記録媒体に書き込まれた記録を、媒体の形状を何等損なうことなく消去可能な方法を提供することを目的とする。
【００１０】
また本発明は、光記録媒体に書き込まれたホログラフィック記録を、媒体の形状を何等損なうことなく、高速で消去可能なホログラフィックメモリー装置を提供することを目的とする。
【００１１】
【課題を解決するための手段】
上記課題を解決するために、本発明は、記録情報を有する光を記録媒体に照射し、当該記録媒体内部に電荷を発生して、当該電荷を空間的に分布させることにより前記媒体に書き込まれた記録を、前記媒体内部に分布した前記電荷を中和することによって消去する方法であって、
前記電荷の中和は、時間微分の符号が変化する電圧を印加することにより行ない、前記電圧の周期は、前記媒体を構成する材料の誘電緩和時間より長く、前記電圧の絶対値を印加時間の経過に伴ない０に近づけることを特徴とする記録消去方法を提供する。
【００１２】
また本発明は、可干渉性の光源と、
前記可干渉性の光源から照射される光を２つに分割する手段と、
前記分割された光の一方に記録情報を付加する装置と、
記録媒体にホログラフィック記録を書き込むために、前記２つの光を前記媒体上で交差させる光学的装置と、
書き込まれたホログラフィック記録を再生するための光を検出する検出器と、前記書き込まれたホログラフィック記録を消去するための電圧を前記媒体に印加する消去用電圧印加手段とを具備し、
前記消去用電圧印加手段から印加される前記電圧は、時間微分の符号が変化し、その周期が前記媒体を構成する材料の誘電緩和時間より長く、かつその絶対値が印加時間の経過に伴ない０に近づくことを特徴とするホログラフィックメモリー装置を提供する。
【００１３】
また本発明は、可干渉性の光源と、
前記可干渉性の光源からの光を、ホログラフィック記録が書き込まれた記録媒体上の所定の位置に照射するための装置と、
前記照射された光を検出し、前記書き込まれたホログラフィック記録を再生する検出器と、
前記書き込まれたホログラフィック記録を消去するための電圧を前記媒体に印加する消去用電圧印加手段とを具備し、
前記消去用電圧印加手段から印加される前記電圧は、時間微分の符号が変化し、その周期が前記媒体を構成する材料の誘電緩和時間より長く、かつその絶対値が印加時間の経過に伴ない０に近づくことを特徴とするホログラフィックメモリー装置を提供する。
【００１４】
また本発明は、ホログラフィック記録が書き込まれた記録媒体に、前記ホログラフィック記録を消去するための電圧を印加する消去用電圧印加手段を具備し、前記消去用電圧印加手段から印加される前記電圧は、時間微分の符号が変化し、その周期が前記媒体を構成する材料の誘電緩和時間より長く、かつその絶対値が印加時間の経過に伴ない０に近づくことを特徴とするホログラフィックメモリー装置を提供する。
【００１５】
本発明においては、上述したような電圧を印加するとともに、非干渉性の光を、前記媒体に照射して、記録を消去することができる。
【００１６】
また本発明のホログラフィックメモリー装置は、前記ホログラフィック記録を消去するための電圧を前記媒体に印加する電極を具備することが好ましい。
【００１７】
以下、本発明を詳細に説明する。
【００１８】
ホログラフィックメモリー装置において記録を行なう際には、まず、データ光と参照光とを媒体に照射する。データ光は、記録するデータが付加された光であり、データ信号により光の透過率や反射率などの物理量を変化させて、異なるデータを異なる１次元または２次元のパターンとして変調する空間変調器によって、データが付加される。一方の参照光は、このデータ光と可干渉性を有する光であり、信号は付与されていないが、信号が付加されていてもよい。こうした２つの光を、光の明暗が屈折率の変化で記録されるフォトリフラクティブ効果を有する記録媒体に光学的装置を用いて照射して、その内部で重ねる。それによって、干渉縞を発生させ、屈折率格子として媒体に記録される。
【００１９】
記録を再生するには、記録時に用いた参照光を記録媒体に入射する。この場合には、参照光に対応した屈折率格子からブラッグ条件を満たした回折または反射が起こって、データ光を再生させる。この光を検出するための装置で検出し、データを再生する。
【００２０】
こうした記録および再生は、同一の装置で行なっても、別個の装置を用いて行なっても構わない。再生のために参照光を照射しても、ブラッグ条件を満たさない屈折率格子から回折または反射した光は、打ち消されてしまうために再生されない。これを利用して、記録媒体内部の同一位置に、異なるブラッグ条件の屈折率格子を複数記録することができる。こうして、大容量の記録を行なうことが可能となる。
【００２１】
したがって、媒体へ照射されるデータ光および参照光の両方またはいずれか一方の入射角度を変えることによって、そのデータ光を先に書き込まれた記録の上に記録することができる。すなわち、多重記録が可能となる。再生する場合にも、屈折率格子のブラッグ条件が異なるため、互いの光は干渉しない。
【００２２】
多重記録を実現するシステムには、大きく分けると次の２つがある。つまり、（１）データ光と参照光とのなす角度を維持したまま入射角度を変える方法、および（２）データ光と参照光とのなす角度を変える方法の２つである。また、２つの光のなす角度を変えるための手法として、大きく分けると次の２つが挙げられる。すなわち、（３）試料を回転させる方法、および（４）光の進行方向を変える方法である。光の進行方向を変えるためには、プリズムやミラー等の光学部品に光を照射し、これら光学部品を回転させる方法や、カー効果やポッケルス効果など磁気光学効果や電気光学効果により透過または反射光の方向を変える方法や、液晶に回折格子を表示させその格子幅を変えるなどして回折方向を変える方法や、参照光とデータ光とを光強度により焦点距離を変えるセルフフォーカシング（３次の非線形光学特性）機能をもつ媒体を通過させ、２つの光のなす角度を変える方法などを用いることができる。
【００２３】
したがって、実際の装置において用いるには、例えば前述の（１）と（３）とを合わせる方法が挙げられ。この場合には、記録媒体を回転できる台に固定し、これを回転させる。また、（１）と（４）とを合わせる場合には、例えばデータ光と参照光とを記録媒体に導くためのミラーや回折格子やレンズ等を同時に回転させて、記録媒体上でのデータ光と参照光とのなす角を一定にする。さらに、（２）と（３）とを合わせる（この場合には、（４）も合わせることになる）場合には、例えばデータ光と参照光とを記録媒体に導くためのレンズを、音響光学効果を用いた素子で構成し、レンズの焦点距離を変えレンズを移動させながら試料も回転させる。またさらに、（２）と（４）とを合わせる場合には、例えデータ光と参照光とを記録媒体に導くためのミラーや回折格子やレンズ等を同時または一方だけを自由に回転させる。また、必ずしも２つのみを組み合わせる必要はなく、これら（１）から（４）を任意に組み合わせることができる。
【００２４】
フォトリフラクティブ効果は、屈折率を変調させることで生じることが知られており、屈折は、光照射により電子と正孔とを発生させ、それを拡散や外部電場でのドリフトなどにより空間的に分離した際に生じる電場によって変調する。この効果を示す材料としては、無機誘電体結晶系材料、無機半導体系材料および有機系材料が存在する。このなかで特に、無機誘電体結晶系材料と有機材料を用いて形成された媒体の場合には、電荷を空間的に分離することを補助するために、媒体に電極を設け、これに電位を印加すること（外部電場の印加）が行なわれている（Ｌ．Ｓｏｌｙｍａｒ，Ｄ．Ｊ．Ｗｅｂｂ，ａｎｄ  Ａ．Ｇｒｕｎｎｅｔ−Ｊｅｐｓｅｎ著、Ｔｈｅ  Ｐｈｙｓｉｃｓ  ａｎｄ  Ａｐｐｌｉｃａｔｉｏｎｓｏｆ  Ｐｈｏｔｏｒｅｆｒａｃｔｉｖｅ  Ｍａｔｅｒｉａｌｓ，Ｏｘｆｏｒｄ出版社、１９９６年）。しかしながら、外部電場を印加すると、生じた電荷が媒体の外部に流れて媒体が帯電してしまう。無機誘電体結晶や永久電気双極子をもつ非線形光学分子が混合されている有機材料系では、帯電による電場で、内部の自発分極の方向がそろえられる（ポーリングされる）ため、帯電による（外部）電場と反対方向の電場が誘起される。この電場は、抗電場とよばれ、誘電体の分極の電場依存性（電場が強いほど、より揃えられる）がヒステリシスをもつ原因となる。
【００２５】
本発明者らは、このヒステリシス特性に着目して、本発明を成すに至った。ヒステリシスを消去することは、抗電場を消去することに相当する。このヒステリシス特性を小さくし、やがては消去するためには、図１（ａ）に示されるようにヒステリシスの原因となる分極を動かし、元に戻す。これによって、抗電場により電荷は特定方向にドリフトしてしまう現象をなくし、符号の異なる電荷間に働くクーロン引力が直接感じられるようにすることで再結合が行なわれることを見出した。
【００２６】
従来から、高分子性の板（下敷きやレコード盤）などの誘電体の帯電を除去するために、材料の誘電緩和より遅い時間領域で変化する交流の電圧を印加し、かつ、図１（ｂ）に示すようにこの交流の振幅を小さくしていくことが行なわれてきた。この現象は、物理的には磁性体の磁性を減衰する交流磁場で消去することと等価であり、電場（磁性体では磁場）を印加したときに発生する分極を、図１（ｃ）に示されるように反転させながら徐々に小さくすることでヒステリシスを消去することに相当する。この原理を、フォトリフラクティブ媒体に記録されたホログラフィック記録の消去に適用することが本発明の意図である。
【００２７】
媒体に書き込まれたホログラフィック記録を消去する際には、内部の可動な電荷（キャリア）を動かし、これによる電荷の相殺を行なうのが有効である。これを達成するためには、キャリアが移動して分極するまでの時間（誘電緩和時間）より遅く電場の符号を変える必要がある。なお、誘電緩和時間は、材料固有の値であり、抵抗率と誘電率との積で与えられる。試料の抵抗と容量とを測定すれば、誘電緩和時間が得られる。また、印加した電場をゼロ以外のときに切ると、この際の電場による分極が残るので、消去を終えるときには電場をゼロにする必要がある。
【００２８】
こうした条件を全て満足して、本発明において消去用として用いられる電圧は、図２のグラフに示すように時間的に変化する。
【００２９】
なお、媒体内部のキャリアが少ない場合には、光照射を行なうことにより、光キャリアを生成させて試料の抵抗を低くし、したがって誘電緩和時間を短くすることができる。この結果、高速な消去が可能になる。
【００３０】
ただし、消去時の光に可干渉性の光を用いると、内部に書き込まれた回折格子から、この光によって回折が生じ、これにより再生されたデータ光と消去光との間の干渉縞が再度書き込まれるおそれがある。こうした不都合を避けるために、消去光は、光キャリアが発生する波長を含むだけでなく、非干渉性の光が好ましい。さらに、書き込まれた回折格子全体に光を照射するためには、照射面近傍で吸収されてしまう光は好ましくない。
【００３１】
本発明において、上述したような電場を媒体に印加するためには、電源と、それに接続された電極が必要である。この電極は、消去時に媒体に電場が印加できるような構成であればよく、消去時以外には媒体と接している必要はない。また、電極は、媒体に接していなくても、気中放電（コロナ放電）により媒体表面に電荷を与え、これにより電場を与えることも可能である。
【００３２】
具体的には、図３（ａ）に示すように、媒体１に接触して配置された電極２と対向電極３とで媒体を直接挟持して、消去用電圧発生器１１により電場を印加することができる。２つの電極が必ずしも媒体１に直接接触している必要はなく、例えば、図３（ｂ）に示すように、電極２が媒体１から離間して配置されていてもよい。さらに、図３（ｃ）に示すように、コロナ放電により媒体１表面に電荷を与えるよう、電極２を配置することもできる。
【００３３】
【発明の実施の形態】
以下、実施例を示して本発明をより詳細に説明する。
【００３４】
（実施例１）
ポリビニルカルバゾール５９重量％、トリニトロフルオレノン１重量％、およびジメチルアミノアセトアミドニトロベンゼン４０重量％を混合して、有機フォトリフラクティブ材料を調製した。
【００３５】
一方、表面に酸化スズの透明電極がコートされた２枚の石英基板を用意し、これらの電極面で、前述の材料を挟むことによって。１００ミクロンの膜厚に加熱形成した。ここでの加熱温度は、媒体のガラス転移温度以上（１５０℃）とし、上下の両電極間に１５００Ｖの電圧を暗所で印加することにより、電場配向処理（ポーリング処理）を施して媒体を作製した。
【００３６】
得られた媒体に対し、図４に示す構成の装置を用い、環境温度１０℃にて以下の手順でデータを書き込んだ。
【００３７】
図４に示される装置においては、光源１０からヘリウム−ネオン−レーザー（波長６３３ｎｍ）の直線偏光ビームが照射され、このビームはビームスプリッター８によって２つに分割される。分割された光の一方には、空間変調器６であるマイクロミラーアレイにより信号を付加してデータ光４とした。なお、マイクロミラーアレイは、小型の鏡を格子状にならべ、鏡の方向を外部からの信号により制御することにより特定方向での光の明暗を制御する装置である。他方の光は、参照光５として試料上への入射角度制御用の角度および位置が可動な鏡７で反射させた。
【００３８】
データ光４および参照光５を、試料である媒体１上で交わるように照射しつつ、媒体１に１０００Ｖの直流電圧を印加した。これによって、試料内部にレーザー光による回折パターンを形成して１０秒間放置し書き込み（屈折率格子の生成）を行なった。
【００３９】
さらに、図４に示す装置を用い、１０℃にて以下のような手法でデータを再生することにより、データが記録されていることを確認した。書き込み時と同様の条件で（すなわち、媒体１の同じ位置に同じ角度で同じ光源から）参照光５のみを媒体１に照射する。媒体１内に書き込みが行なわれていれば、内部に形成された回折格子により参照光が回折して、データ光と同じ波面が再生される。この再生された光を、書き込み時にデータ光が媒体を透過または反射してくる位置に設置されたチャージドカップリングデバイスを用いたビデオカメラ（検出器）９で検出し、先に空間変調器で変調したデータと対応させることによって、データの記録を確認した。
【００４０】
データの消去は、図４に示した装置で１０℃にて行なった。媒体１の電極２および３には、消去用電圧発生器１１を配線１２により接続した。電極２および３は、データ光４と参照光５との垂直二等分線に直交する方向に主面を有するよう、配置されることが好ましい。これは、干渉縞により生ずる電場の方向がこの方向であり、この方向に分布している電荷を効率よく消去するためには、この方向に外部から電場を印加する必要があるためである。また、消去時には、電圧の印加に加えて、消去用非干渉性光源１３から、非干渉性の光を照射してもよい。
【００４１】
ここで用いられる消去用電圧発生器１１は、消去用正弦波電圧発生装置であり、図５に示すように、発振器２１、振幅制御用装置２２、乗算器２３および増幅器２４により構成される。発振器２１としては、市販の正弦波発生装置を用いた。この発振器２１からの波形は、図６（ａ）に示すような方形波、図６（ｂ）に示すような三角波、および図６（ｃ）に示すような正弦波とすることができる。振幅制御用装置２２としては、電池に抵抗Ｒ（Ω）と容量Ｃ（Ｆ）とを並列に接続した回路を用いた。この回路から、時刻０で電池をスイッチなどで切り離すと、そこからＲＣで与えられる時定数で電位が減衰する。電位は、図７（ａ）に示すように指数関数的に、あるいは図７（ｂ）に示すように直線的に減衰させることができる。
【００４２】
また、乗算器２３としては、市販されているアナログ乗算器用集積回路を用いた。この乗算器２３により、発振器２１と振幅制御用信号２２との２つの入力の積の波形が出力される。最終段の増幅器２４としては、市販の電力増幅器を用いた。これにより、消去に必要な電圧に昇圧して、消去用信号２５が媒体に供給される。
【００４３】
こうした構成の消去用正弦波電圧発生装置により、周波数１００Ｈｚで初期（時刻０）の出力電圧の振幅を１２００Ｖの状態から、１秒後の出力電圧を指数関数的に０．１Ｖに低下させた。このときの印加電圧の波形は、時間をｔとして下記数式（１）で表わされる。
【００４４】
１２００ｃｏｓ（６２８．３ｔ）ｅｘｐ（−０．９２１ｔ）      （１）
この時間微分は時間とともに符号を変え、しかもその絶対値は０に近づく。ここで用いた媒体を構成する材料は、誘電率が３×１０-13Ｆ／ｃｍ程度、抵抗率は１×１０10Ωｃｍ程度であるので、その誘電緩和時間は３ｍｓｅｃ程度となる。一方、消去のために印加された電圧の周期は、１／１００Ｈｚ＝１０ｍｓｅｃであり、前述の材料の誘電緩和時間より長く、内部の電気双極子を緩和させるのに十分な速度である。
【００４５】
また、消去用電圧の振幅は、書き込み電圧以上であり、書き込みによる電気双極子の配向を緩和させるのに十分な電圧である。この正弦波電圧発生装置によりデータ消去用の電圧を印加すると同時に、消去用非干渉性光源１３としてのナトリウムランプによる光照射を行なって、その１秒後に光照射を停止した。
【００４６】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器９には何の信号も検出されず、媒体１に書き込まれたデータが消去されていることが確認された。
【００４７】
（比較例１）
実施例１と同様にして作製された媒体を用いて、同じ条件でデータ書き込みを行なうとともに、同じ条件でデータ読み出しを行なった。その結果、データが書き込まれていることが確認された。
【００４８】
さらに、実施例１の場合と同様の装置を用いて、書き込まれたデータの消去を試みた。媒体を挟持する２つの電極には、振幅電圧１２００Ｖが減衰しない交流電圧を印加した。このときの印加電圧の波形は、時間をｔとして下記数式（２）で表わされる。
【００４９】
１２００ｃｏｓ（６２８．３ｔ）      （２）
この時間微分は時間とともに符号は変えるが、その絶対値は０に近づかず、本発明の範囲から外れている。こうした電圧を媒体に印加すると同時に、消去用非干渉性光源１３としてのナトリウムランプによる光照射を行なって、その１秒後に光照射を停止した。
【００５０】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器には信号が検出され、データが消去されていないことが確認された。また、出力データと入力データとの比較を行なったところ、データの一部に差があり、消去は完全ではないものの、一部のデータが失われていることが判明した。
【００５１】
（比較例２）
実施例１と同様にして作製された媒体を用いて、同じ条件でデータ書き込みを行なうとともに、同じ条件でデータ読み出しを行なった。その結果、データが書き込まれていることが確認された。
【００５２】
さらに、実施例１の場合と同様の装置を用いて、書き込まれた記録の消去を試みた。媒体を挟持する２つの電極には、電圧の振幅電圧１２００Ｖが減衰するが、周期が１０ｋＨｚの電圧を印加した。このときの印加電圧の波形は、時間をｔとして下記数式（３）で表わされる。
【００５３】
１２００ｃｏｓ（６２８３０ｔ）ｅｘｐ（−０．９２１ｔ）      （３）
この時間微分は時間とともに符号を変え、その絶対値は０に近づくものの、電圧の周期は１／１０ｋＨｚ＝０．１ｍｓとなる。これは、材料の誘電緩和時間３ｍｓより短いので、本発明の範囲から外れている。こうした電圧を媒体に印加すると同時に、ナトリウムランプによる光照射を行なって、その１秒後に光照射を停止した。
【００５４】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器には信号が検出され、データが消去されていないことが確認された。また、出力データと入力データとの比較を行なったところ、データの一部に差があり、消去は完全ではないものの、一部のデータが失われていることが判明した。
【００５５】
（実施例２）
１モル当り鉄３００ｐｐｍをドープした単結晶のニオブ酸カリウムを切り出して、直方体状の試料を得た。その寸法は、結晶のｃ軸方向における厚さを１ｍｍとし、これに直交する方向における長さを１０ｍｍとした。さらに、得られた直方体の１０ｍｍ×１０ｍｍの対向する２つの面に、酸化すずの透明導電性電極を形成して媒体を作製した。この材料の誘電緩和時間は３ｍｓ程度である（宮澤信太郎著  光学結晶  培風館  １９９５年２０３ページ、図５．７およびその解説）。
【００５６】
この媒体に、データの書き込み・読み出しの実験を行なった。この際、光源としてアルゴンイオンレーザ（波長４８８ｎｍ）を用いる以外は、実施例１と同様の装置を用いて、同様の条件で行なった。
【００５７】
さらに、実施例１と同様の条件で、書き込まれた記録の消去を行なった。ここで用いた媒体を構成する材料の誘電緩和時間は３ｍｓであり、消去のために印加された電圧の周期は１０ｍｓである。この周期は誘電緩和時間より長く、実施例１の場合と同様に、内部の電気双極子を緩和させるのに充分な速度である。
【００５８】
データの読み出しを行なったところ、書き込みと同じ条件の電圧を印加した場合、電圧を印加せず２つの電極を短絡した場合、さらには２つの電極を短絡しない場合のいずれにおいても、検出器には何の信号も検出されず、データが消去されていることが判明した。
【００５９】
（比較例３）
実施例２と同様にして作製された媒体を用いて、同じ条件でデータ書き込みを行なうとともに、同じ条件でデータ読み出しを行なった。その結果、データが書き込まれていることが確認された。
【００６０】
さらに、比較例１と同様の条件で、書き込まれたデータの消去を試みた。すなわち、媒体を挟持する２つの電極には、振幅電圧１２００Ｖが減衰しない交流電圧を印加した。この印加電圧の時間微分は、時間とともに符号は変えるが、絶対値は０に近づかず、本発明の範囲から外れている。こうした電圧を媒体に印加すると同時に、ナトリウムランプによる光照射を行なって、その１秒後に光照射を停止した。
【００６１】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器には信号が検出され、データが消去されていないことが確認された。
【００６２】
（比較例４）
実施例２と同様にして作製された媒体を用いて、同じ条件でデータ書き込みを行なうとともに、同じ条件でデータ読み出しを行なった。その結果、データが書き込まれていることが確認された。
【００６３】
さらに、比較例２と同様の条件で、書き込まれたデータの消去を試みた。すなわち、媒体を挟持する２つの電極には、電圧の振幅電圧１２００Ｖが減衰するが、周期が１０ｋＨｚの電圧を印加した。この印加電圧の時間微分は、時間とともに符号を変え、その絶対値は０に近づくものの、電圧の周期は１／１０ｋＨｚ＝０．１ｍｓとなる。これは、材料の誘電緩和時間３ｍｓより短いので、本発明の範囲から外れている。こうした電圧を媒体に印加すると同時に、ナトリウムランプによる光照射を行なって、その１秒後に光照射を停止した。
【００６４】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器には信号が検出され、データが消去されていないことが確認された。
【００６５】
（比較例５）
実施例１と同様にして作製された媒体を用いて、同じ条件でデータ書き込みを行なうとともに、同じ条件でデータ読み出しを行なった。その結果、データが書き込まれていることが確認された。
【００６６】
さらに、実施例１の場合と同様の装置を用いて、書き込まれたデータの消去を試みた。媒体を挟持する２つの電極には電圧を印加せず、ナトリウムランプによる光照射のみを行なった以外は、実施例１と同様の条件とし、１秒後に光照射を停止した。
【００６７】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器には信号が検出され、データが消去されていないことが確認された。また、出力データと入力データとの比較を行なったところ、データは完全に一致しており、消去されていないことが判明した。
【００６８】
（比較例６）
実施例２と同様にして作製された媒体を用いて、同じ条件でデータ書き込みを行なうとともに、同じ条件でデータ読み出しを行なった。その結果、データが書き込まれていることが確認された。
【００６９】
さらに、実施例１の場合と同様の装置を用いて、書き込まれたデータの消去を試みた。媒体を挟持する２つの電極には電圧を印加せず、ナトリウムランプによる光照射のみを行なった以外は、実施例１と同様の条件とし、１秒後に光照射を停止した。
【００７０】
次いで、前述と同様の方法によりデータの読み出しを行なった。その結果、書き込み時と同じ条件の電圧を印加した場合、電圧を印加せず２つの電極を短絡した場合、さらには２つの電極を短絡しない場合のいずれにおいても、検出器には信号が検出され、データが消去されていないことが確認された。また、出力データと入力データとの比較を行なったところ、データは完全に一致しており、消去されていないことが判明した。
【００７１】
【発明の効果】
以上詳述したように本発明によれば、フォトリフラクティブ媒体に書き込まれたホログラフィック記録を、媒体の形状を何等損なうことなく、消去可能な方法が提供される。また本発明によれば、フォトリフラクティブ媒体に書き込まれたホログラフィック記録を、媒体の形状を何等損なうことなく、高速で消去可能なホログラフィックメモリー装置が提供される。
【００７２】
本発明を用いることによって、電極が不要であるとともに、光ディスクや光ファイリングシステム等の小型の機器に適用可能で、安価なホログラフィック光記録媒体のデータ消去速度を著しく向上させることができ、その工業的価値は絶大である。
【図面の簡単な説明】
【図１】本発明におけるホログラフィック記録の消去の概念を説明する図。
【図２】本発明における消去時の電圧の時間変化を表わすグラフ図。
【図３】ホログラフィック媒体と、消去用電圧を印加するための電極との配置を表わす概略図。
【図４】本発明にかかるホログラフィックメモリー装置の一例の構成を表わす概略図。
【図５】本発明に用いられる電圧印加用回路の一例を表わす構成図。
【図６】発振器からの波形の例を表わす概略図。
【図７】振幅制御用信号の例を表わす概略図。
【符号の説明】
１…光記録媒体
２…電極
３…対向電極
４…データ光
５…参照光
６…空間変調器
７…鏡
８…ビームスプリッター
９…ビデオカメラ
１０…レーザー
１１…消去用電圧発生装置
１２…配線
１３…消去用非干渉性光源
２１…発振器
２２…振幅制御用信号
２３…乗算器
２４…増幅器
２５…消去用信号
【図１】
0003688584.tif 000002
【図２】
0003688584.tif 000003
【図３】
0003688584.tif 000004
【図４】
0003688584.tif 000005
【図５】
0003688584.tif 000006
【図６】
0003688584.tif 000007
【図７】
0003688584.tif 000008